(57)【要約】【課題】タッチセンサを有する電子機器において、光源が照射する可視光を効率よく前方のタッチセンサに照射するとともに、タッチセンサ上の個々の操作部の位置を利用者に適切に示すこと。【解決手段】操作パネル１０のパネルケース１１０に形成されたスイッチ用凹部１１５では、集光部１１５ｄが、スイッチ用凹部１１５における挿入孔１１５ｃ側に形成され、且つその断面が凹状のＲ形状に形成され、ＬＥＤ１３０の光源から照射された可視光の一部をタッチパネル１４０における静電容量スイッチ１４２を中心とする領域である第一領域へ集光するよう反射する。一方、拡散部１１５ｅが、スイッチ用凹部１１５における集光部１１５ｄよりも開口部１１５ａ側（外縁側）に形成され、且つその断面が凸状のＲ形状に形成され、ＬＥＤ１３０から照射された可視光の一部を第一領域の周囲の領域である第二領域へ拡散するよう反射する。【選択図】図４
2008046252.tif 000002
【特許請求の範囲】
【請求項１】
開口部を有する筺体と、
前記筺体内部に配置され、電子部品がその実装面に実装された基板と、
前記基板の実装面に実装され、可視光を照射する光源と、
透過性を有する材料からなり、薄板状に形成され、少なくとも前記筺体の前記開口部の一部を覆うとともに前記光源の前方に位置するよう配置され、利用者によるタッチ操作によってオンオフが切り替わる操作部を有するタッチパネルと、
を備え、
前記光源は前記タッチパネルに向けて可視光を照射可能であり、
さらに、前記光源の周囲を覆うように形成され、前記光源から照射された可視光の一部を前記タッチパネルにおける前記操作部を中心とする領域である第一領域へ集光するよう反射する集光部と、前記光源から照射された可視光の一部を前記タッチパネルにおける前記第一領域の周囲の領域である第二領域へ拡散するよう反射する拡散部と、を有する反射部を備えること
を特徴とする電子機器。
【請求項２】
請求項１に記載の電子機器において、
前記反射部は、前記光源を挿入するための挿入孔がその底部に形成されており、
前記挿入孔には、前記光源が挿通されること
を特徴とする電子機器。
【請求項３】
請求項２に記載の電子機器において、
前記集光部は、前記凹部における前記挿入孔側に形成されており、
前記拡散部は、前記凹部における外縁側に形成されていること
を特徴とする電子機器。
【請求項４】
請求項２に記載の電子機器において、
前記集光部は、その断面が凹状のＲ形状に形成されており、
前記拡散部は、その断面が凸状のＲ形状に形成されていること
を特徴とする電子機器。
【請求項５】
請求項１〜請求項４の何れかに記載の電子機器において、
前記操作部については透過性を有するよう構成されており、
前記第一領域については操作部による利用者のタッチ操作に反応する領域であるタッチスイッチ領域よりも小さく設定されるとともに、前記第二領域については前記タッチスイッチ領域よりも大きく設定されていること
を特徴とする電子機器。
【請求項６】
請求項１〜請求項４の何れかに記載の電子機器において、
前記操作部については不透過性を有するよう構成されており、
前記第一領域については操作部による利用者のタッチ操作に反応する領域であるタッチスイッチ領域よりも大きく設定されるとともに、前記第二領域については前記第一領域よりも大きく設定されていること
を特徴とする電子機器。
【発明の詳細な説明】
【技術分野】
【０００１】
本発明は、タッチセンサを有する電子機器において、光源が照射する可視光を効率よく前方のタッチセンサに照射するとともに、タッチセンサ上の個々の操作部の位置を利用者に適切に示す技術に関する。
【背景技術】
【０００２】
タッチセンサを備える電子機器では、個々の操作部の位置を利用者に知らせるために、薄板状に形成された透過性を有する材料でタッチセンサを構成するとともに、タッチセンサの後方に配置した静電容量スイッチに内蔵された光源から照射される可視光を前方のタッチセンサに照射するようにしている。
【０００３】
また、このようなタッチセンサを備える電子機器の中には、光源が照射する可視光を効率よく前方のタッチセンサに照射するために、光源から照射される可視光の一部を前方のタッチセンサへ反射する反射部を備える電子機器がある。
【０００４】
例えば、特許文献１に記載された面光源装置は、水平に配設された棒状の光源と、この光源の一側及び上下を包囲する反射部材と、この光源の他側にて反射部材の開口に接続される透明材料から成る導光板とを含んでおり、光源から直接にあるいは反射部材の内面で反射して導光板の側面に入射する光が、界面即ち導光板の側面で全反射されずに導光板内に入射するようにし、この光を導光板の上面または下面で全反射する。このことにより、外部への漏光による光損失が低減し、導光板への取り込み効率を向上させるとともに、できるだけ明るく且つ均一な面光源が得られるとしている。
【０００５】
また、特許文献２に記載された透過型液晶表示器では、ケース内後部に取付けられているウエッジベース型電球と、透過型液晶表示器との間に、そのウエッジベース型電球のフィラメント部を中心とした放物曲面に形成されていて、ウエッジベース型電球からの光を当該透過型液晶表示器の裏面に対して斜め方向へ反射せしめることができる反射板を配設している。このことにより、当該透過型表示装置を、その表示面に対して左右斜め方向から見たときであっても、当該透過型液晶表示装置の表示を高輝度で見ることができ、視認性に優れるとされている。
【特許文献１】特開２００１−２１０１２５号公報（第４，５頁、図２）
【特許文献２】特開平０９−２５８２２４号公報（第３頁、図１，２）
【発明の開示】
【発明が解決しようとする課題】
【０００６】
しかし、上述の特許文献１に記載された面光源装置や特許文献２に記載された透過型液晶表示器などの電子機器においては、上述のように、光源が照射する可視光を効率よく前方のタッチセンサに照射する一方で、タッチセンサ上の個々の操作部の位置だけでなくその周囲にも可視光が均一に照射されるため、タッチセンサ上の個々の操作部の位置を利用者に適切に示すことができず、その結果、利用者が個々の操作部の周囲部分を触れるなど所望する操作部を利用者が適切にタッチ操作できず、当該電子機器が所望の動作を実行しないおそれがあった。なお、タッチ操作とは、一般的に、指先の指紋面で対象物を接触することを云う。
【０００７】
本発明は、このような不具合に鑑みなされたものであり、その目的とするところは、タッチセンサを有する電子機器において、光源が照射する可視光を効率よく前方のタッチセンサに照射するとともに、タッチセンサ上の個々の操作部の位置を利用者に適切に示す技術を提供することにある。
【課題を解決するための手段】
【０００８】
上記課題を解決するためになされた請求項１に係る電子機器（１：この欄においては、発明に対する理解を容易にするため、必要に応じて「発明を実施するための最良の形態」欄で用いた符号を付すが、この符号によって請求の範囲を限定することを意味するものではない。）は、開口部を有する筺体（２）と、前記筺体内部に配置され、電子部品がその実装面に実装された基板（１２０）と、前記基板の実装面に実装され、可視光を照射する光源（１３０）と、透過性を有する材料からなり、薄板状に形成され、少なくとも前記筺体の前記開口部の一部を覆うとともに前記光源の前方に位置するよう配置され、利用者によるタッチ操作によってオンオフが切り替わる操作部（１４２）を有するタッチパネル（１４０）と、を備え、前記光源は前記タッチパネルに向けて可視光を照射可能であり、さらに、前記光源の周囲を覆うように形成され、前記光源から照射された可視光の一部を前記タッチパネルにおける前記操作部を中心とする領域である第一領域へ集光するよう反射する集光部（１１５ｄ）と、前記光源から照射された可視光の一部を前記タッチパネルにおける前記第一領域の周囲の領域である第二領域へ拡散するよう反射する拡散部（１１５ｅ）と、を有する反射部（１１５）を備えることを特徴とする。
【０００９】
なお、タッチ操作とは、一般的に、指先の指紋面で対象物を接触することを云う。
また、上述の特許文献１に記載された面光源装置におけるタッチセンサとは、本発明における操作部（１４２）およびタッチスイッチ（１４２）に相当し、後述する実施形態における静電容量スイッチ（１４２）に相当する。
【００１０】
このように構成された本発明の電子機器によれば、反射部の集光部が、光源から照射された可視光の一部をタッチパネルにおける操作部を中心とする領域である第一領域へ集光するとともに、反射部の拡散部が、光源から照射された可視光の一部をタッチパネルにおける第一領域の周囲の領域である第二領域へ拡散するよう反射する。このことにより、第一領域は可視光が集光されて強く光って強調され、一方、第二領域は、拡散された可視光が照射されるために第一領域に比べて淡く光るので、タッチセンサ上の個々の操作部が、その周辺部分よりも強く光ることとなる。したがって、光源が照射する可視光を効率よく前方のタッチセンサに照射するとともに、タッチセンサ上の個々の操作部の位置を利用者に適切に示すことができる。
【００１１】
この場合、反射部については、光源を挿入するための挿入孔がその底部に形成されており、その挿入孔には光源が挿通されることが考えられる（請求項２）。このように構成すれば、反射部の一部が光源の側方や斜め後方にも配置され、光源から側方や斜め後方へ照射される可視光も反射することができる。したがって、光源が照射する可視光のうちより多くの可視光を操作部やその周囲領域へ反射することができ、光源が照射する可視光をより効率よく前方のタッチセンサに照射することができる。
【００１２】
また、上述の反射部の集光部については、凹部における挿入孔側に形成されており、反射部の拡散部については、凹部における外縁側に形成されていることが考えられる（請求項３）。このように構成すれば、反射部の集光部が、光源から側方や斜め後方に照射された可視光の一部を第一領域へ集光し、一方、反射部の拡散部が、光源から斜め前方に照射された可視光を第二領域へ拡散する。したがって、反射部が、操作部やその周囲部分へ照射されない可視光を操作部やその周囲へより効果的に反射することができ、光源が照射する可視光のうちより多くの可視光を操作部やその周囲部分へ反射することができる。
【００１３】
また、上述の反射部の集光部については、その断面が凹状のＲ形状に形成されており、反射部の拡散部については、その断面が凸状のＲ形状に形成されていることが考えられる（請求項４）。このように構成すれば、集光部をその断面が凹状のＲ形状に形成することでその集光効果をより高めることができる。また、拡散部をその断面が凸状のＲ形状に形成することでその拡散効果をより高めることができる。
【００１４】
ところで、第一領域および第二領域については次のように設定することが考えられる。
（イ）操作部については透過性を有するよう構成されており、第一領域については操作部による利用者のタッチ操作に反応する領域であるタッチスイッチ領域よりも小さく設定されるとともに、第二領域についてはタッチスイッチ領域よりも大きく設定されていることが考えられる。このように構成すれば、利用者が第一領域を特定すれば、第一領域を指で触れる際にタッチスイッチ領域に確実に触れることとなり、利用者が所望する動作を当該電子機器が確実に行うことができる。
【００１５】
（ロ）操作部については不透過性を有するよう構成されており、第一領域については操作部による利用者のタッチ操作に反応する領域であるタッチスイッチ領域よりも大きく設定されるとともに、第二領域については前記第一領域よりも大きく設定されていることが考えられる。このように構成すれば、光源から照射された可視光をタッチパネルの操作部に遮られても、利用者が第一領域を容易に特定することができ、第一領域を指で触れる際にタッチスイッチ領域に確実に触れることとなり、利用者が所望する動作を通信カラオケ装置１が確実に行うことができる。
【発明を実施するための最良の形態】
【００１６】
以下、本発明が適用された実施形態について図面を用いて説明する。
［第一実施形態］
図１は、本実施形態の電子機器としての通信カラオケ装置１の構成を示すブロック図である。
【００１７】
［通信カラオケ装置１の構成の説明］
図１に示すように、通信カラオケ装置１は、筺体２、通信カラオケ装置１全体の制御を司るＣＰＵ１４、及びこのＣＰＵ１４に接続された以下の各部、すなわちカラオケ曲及びドラマや映画などのコンテンツの予約操作などを行うための操作パネル１０、画像情報等を映像化するための映像処理部１１、ＭＰＥＧ映像データの再生手段となるＭＰＥＧデコーダ１２、カラオケ演奏用の楽曲データや映像データその他各種データを記憶しているハードディスク（ＨＤＤ）１３、システムプログラムや各種の設定に必要な設定データなどを記憶しておくメモリ１５、ＬＡＮインターフェース１６、時刻管理をするＲＴＣ（Real Time Clock ）１７、ＭＩＤＩデータ（楽曲データ）に基づく演奏再生を行うＭＩＤＩ音源部１８、ＭＩＤＩ音源部１８による再生音及び利用者（歌唱者）の歌声をミキシングする等して適宜音声処理を施す音声処理部１９を備えている。
【００１８】
［筺体２の構成の説明］
図２は、筺体２、操作パネル１０のパネルケース１１０、タッチパネル１４０および化粧パネル１５０の各部構成を示す概略説明図である。また、図３（ａ）は操作パネル１０のパネルケース１１０、タッチパネル１４０および化粧パネル１５０の各部構成を示す概略説明図であり、図３（ｂ）は筺体２、操作パネル１０の基板１２０、パネルケース１１０、タッチパネル１４０および化粧パネル１５０の各部構成を示す概略説明図であり、図４は図３（ｂ）のＢ部の拡大図である。
【００１９】
なお、以降、この通信カラオケ装置１において、図２に示すように、筺体２に対して操作パネル１０が配置される側を「前側」とし、その反対側を「後側」とする。また、通信カラオケ装置１において、パネルケース１１０の挿入孔１１８に対して凹部１１４が配置される側を「上側」とし、その反対側を「下側」とする。また、通信カラオケ装置１において、パネルケース１１０の中央に位置するスイッチ用凹部１１５に対して凹部１１４が配置される側を「右側」とし、その反対側を「左側」とする。
【００２０】
図２に示すように、筺体２は、箱形状に形成された導電性を有する金属材料で構成されるとともに、その内部にＣＰＵ１４およびこのＣＰＵ１４に接続された各構成を収容可能に構成されている。また、筺体２は、その前面に略方形の開口部２ａを有しており、開口部２ａには操作パネル１０が取り付けられている。
【００２１】
さらに、筺体２における開口部２ａの周縁部の下端からは４つの舌状部２ｂが延出している。これら舌状部２ｂは、その先端部が筺体２の開口部２ａに取り付けられた操作パネル１０のタッチパネル１４０の下端近傍に配置される。このことにより、舌状部２ｂは、筺体２の一部として構成されており、筺体２を介して接地されることとなる。したがって、舌状部２ｂは、タッチパネル１４０に貯留した静電気を逃がす機能を有する。
【００２２】
なお、舌状部２ｂは接地部材に該当する。
［操作パネル１０の構成の説明］
図２に示すように、操作パネル１０は、パネルケース１１０と、基板１２０（図２では図示省略、図３（ｂ）および図３（ｃ）参照）と、静電容量スイッチ１３０と、タッチパネル１４０と、化粧パネル１５０と、を備えている。
【００２３】
［操作パネル１０のパネルケース１１０の構成の説明］
このうちパネルケース１１０は、その一部が開口する箱形状に形成された樹脂などの絶縁材料で構成されるとともに、その内部に基板１２０を収容可能に構成されている（図３（ｂ）参照）。また、パネルケース１１０は、その開口部１１１の周縁部１１２を筺体２の開口部２ａの周縁部に取り付けることで、筺体２の開口部２ａを塞ぐことが可能に構成されている。
【００２４】
また、パネルケース１１０の前面１１３には、右側から順にタッチパネル用凹部１１４、スイッチ用凹部１１６およびタッチパネル用凹部１１７が左右方向に並べて形成されている。このうちタッチパネル用凹部１１４は、その開口部１１４ａが略方形に形成されるとともにその底部１１４ｂが平面状に形成され、その内部に板状のタッチパネル１４０を収納可能である。また、タッチパネル用凹部１１４の内部の右端には、タッチパネル１４０の舌状体１４１を挿入可能な挿入孔１１４ｃが形成されている。この挿入孔１１４ｃにタッチパネル１４０の舌状体１４１を挿入することにより、パネルケース１１０に対するタッチパネル１４０の位置決めを可能とするとともに、パネルケース１１０のタッチパネル用凹部１１４の内部にタッチパネル１４０を収納可能とし、タッチパネル１４０を前後方向に移動させることを可能とする。さらに、タッチパネル用凹部１１４の内部には、５つの反射部としてのスイッチ用凹部１１５が形成されている。このスイッチ用凹部１１５は、その開口部１１５ａが略円形であるすり鉢状に形成されるとともに、その底部１１５ｂには、基板１２０に取り付けられたＬＥＤ１３０の先端部１３０ａを挿入可能な挿入孔１１５ｃが形成されている。
【００２５】
また、スイッチ用凹部１１５は、図４に示すように、集光部１１５ｄと、拡散部１１５ｅと、を備える。
このうち集光部１１５ｄは、スイッチ用凹部１１５における挿入孔１１５ｃ側に形成され、その断面が凹状のＲ形状に形成されている。このことにより、集光部１１５ｄは、ＬＥＤ１３０の周囲を覆うように形成されている。そして、集光部１１５ｄは、ＬＥＤ１３０から照射された可視光のうちＬＥＤ１３０の側方や斜め後方に向けて照射された可視光をタッチパネル１４０における操作部１４２を中心とする領域である第一領域へ集光するよう反射する（図４参照）。
【００２６】
一方、拡散部１１５ｅは、スイッチ用凹部１１５における集光部１１５ｄよりも開口部１１５ａ側（外縁側）に形成され、その断面が凸状のＲ形状に形成されている。そして、拡散部１１５ｅは、ＬＥＤ１３０から照射された可視光うちＬＥＤ１３０の斜め前方に向けて照射された可視光をタッチパネル１４０における第一領域の周囲の領域である第二領域へ拡散するよう反射する（図４参照）。
【００２７】
また、図２に示すように、スイッチ用凹部１１６は、その開口部１１６ａが略円形であるすり鉢状に形成されるとともに、その底部１１６ｂに、基板１２０に取り付けられた３つのＬＥＤ１３１の先端部１３１ａを挿入可能な挿入孔１１６ｃが形成されている。
【００２８】
なお、タッチパネル用凹部１１７については、上述のタッチパネル用凹部１１４と同様の構成を有しているので、ここではその詳細な説明は省略する。
また、パネルケース１１０の前面１１３におけるタッチパネル用凹部１１４の下側近傍には、筺体２の２つの舌状部２ｂの先端部を挿入可能な２つの挿入孔１１８が形成されており、パネルケース１１０を筺体２に取り付けた際には２つの舌状部２ｂの先端部それぞれがこれら挿入孔１１８にそれぞれ挿入される。この際、パネルケース１１０の一部が、挿入孔１１８に挿入された舌状部２ｂの先端部とタッチパネル１４０の下端部との間に配置された状態となる。
【００２９】
また、パネルケース１１０の前面１１３におけるタッチパネル用凹部１１７の下側近傍にも、上述の挿入孔１１８と同様の挿入孔１１９が形成されている。
［操作パネル１０の基板１２０およびＬＥＤ１３０の構成の説明］
基板１２０には、ＬＥＤ１３０やＬＥＤ１３１、コンデンサ、抵抗器などの電子部品がその実装面に実装されている。そして、基板１２０は、実装面に実装されたＬＥＤ１３０の先端部１３０ａがパネルケース１１０のタッチパネル用凹部１１４の挿入孔１１５ｃなどに挿入されるとともに、実装面に実装されたＬＥＤ１３１の先端部１３１ａがパネルケース１１０のスイッチ用凹部１１６の挿入孔１１６ｃに挿入された状態で、パネルケース１１０の内部に収納されている。このことにより、ＬＥＤ１３０の前方にパネルケース１１０およびタッチパネル１４０が配置された状態となる。
【００３０】
ＬＥＤ１３０は、ＣＰＵ１４からの指令に応じて可視光を前方に照射する機能を有する。なお、ＬＥＤ１３１についても同様に、ＣＰＵ１４からの指令に応じて可視光を前方の化粧パネル１５０の中央部に照射する機能を有する。
【００３１】
［操作パネル１０のタッチパネル１４０の構成の説明］
次に、タッチパネル１４０について説明する。なお、ここでは、右側に配置されるタッチパネル１４０について説明し、左側に配置されるタッチパネル１４０については、右側に配置されるタッチパネル１４０と同様の構成を有するのでその詳細な説明は省略する。
【００３２】
タッチパネル１４０は、略方形の薄板状に形成した透過性および絶縁性を有する樹脂材料から構成されており、その右端からは、タッチパネル用凹部１１４の内部の右端に形成された挿入孔１１４ｃに挿入可能な舌状体１４１が延出している。このタッチパネル１４０は、タッチパネル用凹部１１４の挿入孔１１４ｃに舌状体１４１を挿入することで、上述のように、パネルケース１１０に対する位置決めが可能となり、パネルケース１１０のタッチパネル用凹部１１４の内部に収納可能となり、前後方向に移動可能となる。
【００３３】
また、舌状体１４１は、その一方が静電容量スイッチ１４２に接続する電線を内蔵するフレキシブル基板を内蔵している。そして、舌状体１４１は、自らがパネルケース１１０の挿入孔１１４ｃに挿入されることでタッチパネル１４０がパネルケース１１０に取り付けられた際に、静電容量スイッチ１４２を基板１２０に電気的に接続する機能を有する。
【００３４】
また、タッチパネル１４０には、５つの静電容量スイッチ１４２が形成されている。これら５つの静電容量スイッチ１４２は、当該タッチパネル１４０が、パネルケース１１０のタッチパネル用凹部１１４に収納された際に、タッチパネル用凹部１１４の５つのスイッチ用凹部１１５それぞれ対応するように配置されている。この静電容量スイッチ１４２は、前方の化粧パネル１５０に対する利用者のタッチ操作によってオンオフが切り替わり、そのことを示す信号をＣＰＵ１４に出力する機能を有する。
【００３５】
さらに、タッチパネル１４０は、パネルケース１１０の表面に当接し、且つ基板１２０に実装されたＬＥＤ１３０の前方にその先端部１３０ａから所定間隔を離れるように配置されている。
【００３６】
なお、本実施形態では、パネルケース１１０の静電容量スイッチ１４２が透過性を有する材料から構成されており、第一領域についてはタッチスイッチ領域よりも小さく設定され、また、第二領域についてはタッチスイッチ領域よりも大きく設定されている（図５（ａ）参照）。なお、タッチスイッチ領域とは、静電容量スイッチ１４２が前方の化粧パネル１５０に対する利用者のタッチ操作に反応し、スイッチとしての動作がオンオフの切り替え動作であるとＣＰＵ１４が判断できる領域を云う。
【００３７】
なお、静電容量スイッチ１４２は操作部に該当する。
［操作パネル１０の化粧パネル１５０の構成の説明］
化粧パネル１５０は、略方形の薄板状に形成した透過性または半透過性を有する樹脂材料から構成されており、パネルケース１１０の前面１１３に取り付け可能に構成されている（図３（ａ）および図３（ｂ）参照）。なお、半透過性とは、例えば、光の有無が判断できる程度、および略形状が特定できる程度の透過性を云う。このことにより、化粧パネル１５０は、ＬＥＤ１３０から照射された可視光を透過させて、静電容量スイッチ１４２の位置を利用者に知らせることができる（図４参照）。また、化粧パネル１５０は、利用者によるタッチ操作をタッチパネル１４０の静電容量スイッチ１４２に伝える。
【００３８】
［通信カラオケ装置１のその他の構成について］
なお、本実施形態の通信カラオケ装置１のその他の構成については、公知技術に従っているので、ここでは詳細な説明は省略する。
【００３９】
［第一実施形態の効果］
（１）このように第一実施形態の通信カラオケ装置１によれば、操作パネル１０のパネルケース１１０に形成されたスイッチ用凹部１１５が、集光部１１５ｄと、拡散部１１５ｅと、を備え、集光部１１５ｄが、スイッチ用凹部１１５における挿入孔１１５ｃ側二形成され、且つその断面が凹状のＲ形状に形成され、一方、拡散部１１５ｅが、スイッチ用凹部１１５における集光部１１５ｄよりも開口部１１５ａ側（外縁側）に形成され、且つその断面が凸状のＲ形状に形成されている。そして、集光部１１５ｄが、ＬＥＤ１３０から照射された可視光のうちＬＥＤ１３０の側方や斜め後方に向けて照射された可視光をタッチパネル１４０における静電容量スイッチ１４２を中心とする領域である第一領域へ集光するよう反射し、一方、拡散部１１５ｅが、ＬＥＤ１３０から照射された可視光うちＬＥＤ１３０の斜め前方に向けて照射された可視光をタッチパネル１４０における第一領域の周囲の領域である第二領域へ拡散するよう反射する。このことにより、タッチパネル１４０における第一領域が、可視光が集光されて強く光って強調され、一方、タッチパネル１４０における第二領域が、拡散された可視光が照射されるために第一領域に比べて淡く光るので、タッチセンサ１４０上の個々の静電容量スイッチ１４２が、その周辺部分よりも強く光ることとなる。したがって、ＬＥＤ１３０が照射する可視光を効率よく前方のタッチセンサ１４０に照射するとともに、タッチセンサ１４０上の個々の静電容量スイッチ１４２の位置を利用者に適切に示すことができる。
【００４０】
（２）また、第一実施形態の通信カラオケ装置１によれば、タッチパネル用凹部１１４の内部に５つの反射部としてのスイッチ用凹部１１５が形成されるとともに、スイッチ用凹部１１５が、その開口部１１５ａが略円形であるすり鉢状に形成され、さらに、その底部１１５ｂに、基板１２０に取り付けられたＬＥＤ１３０の先端部１３０ａを挿入可能な挿入孔１１５ｃが形成され、この挿入孔１１５ｃにＬＥＤ１３０が挿入されている。そして、集光部１１５ｄが、ＬＥＤ１３０の周囲を覆うように形成され、ＬＥＤ１３０から照射された可視光のうちＬＥＤ１３０の側方や斜め後方に向けて照射された可視光をタッチパネル１４０における静電容量スイッチ１４２を中心とする領域である第一領域へ集光するよう反射する。したがって、ＬＥＤ１３０が照射する可視光のうちより多くの可視光をタッチパネル１４０の静電容量スイッチ１４２やその周囲領域へ反射することができ、ＬＥＤ１３０が照射する可視光をより効率よく前方のタッチセンサ１４０に照射することができる。
【００４１】
（３）また、第一実施形態の通信カラオケ装置１によれば、スイッチ用凹部１１５においては、集光部１１５ｄが、スイッチ用凹部１１５における挿入孔１１５ｃ側に形成され、一方、拡散部１１５ｅが、スイッチ用凹部１１５における集光部１１５ｄよりも開口部１１５ａ側（外縁側）に形成されている。そして、集光部１１５ｄが、ＬＥＤ１３０から側方や斜め後方に照射された可視光の一部を第一領域へ集光し、一方、拡散部１１５ｅが、ＬＥＤ１３０から斜め前方に照射された可視光を第二領域へ拡散する。したがって、反射部としてのスイッチ用凹部１１５が、タッチパネル１４０の静電容量スイッチ１４２やその周囲部分へ照射されない可視光を静電容量スイッチ１４２やその周囲へより効果的に反射することができ、ＬＥＤ１３０が照射する可視光のうちより多くの可視光をタッチパネル１４０の静電容量スイッチ１４２やその周囲部分へ反射することができる。
【００４２】
（４）また、第一実施形態の通信カラオケ装置１によれば、スイッチ用凹部１１５においては、集光部１１５ｄについては、その断面が凹状のＲ形状に形成されており、一方、拡散部１１５ｅについては、その断面が凸状のＲ形状に形成されている。このことにより、集光部１１５ｄをその断面が凹状のＲ形状に形成することでその集光効果をより高めることができ、また、拡散部１１５ｅをその断面が凸状のＲ形状に形成することでその拡散効果をより高めることができる。
【００４３】
（５）また、第一実施形態の通信カラオケ装置１によれば、パネルケース１１０が透過性を有する材料から構成され、第一領域についてはタッチスイッチ領域よりも小さく設定され、また、第二領域についてはタッチスイッチ領域よりも大きく設定されている。このことにより、利用者が第一領域を特定すれば、第一領域を指で触れる際にタッチスイッチ領域に確実に触れることとなり、利用者が所望する動作指示を通信カラオケ装置１に対して確実に行うことができる。
【００４４】
［他の実施形態］
以上、本発明の一実施形態について説明したが、本発明は上記実施形態に限定されるものではなく、以下のような様々な態様にて実施することが可能である。
【００４５】
（１）上記実施形態では、本発明を通信カラオケ装置１に適用した例を挙げたが、これには限られず、オーディオ装置などの電子機器に本発明を適用することも可能である。
（２）上記実施形態では、パネルケース１１０が透過性を有するよう構成され、第一領域についてはタッチスイッチ領域よりも小さく設定され、また、第二領域についてはタッチスイッチ領域よりも大きく設定されているが、これには限られず、図５（ｂ）に例示するように、パネルケース１１０の静電容量スイッチ１４２が不透過性を有する材料で構成されるときには、第一領域をタッチスイッチ領域よりも大きく設定し、さらに、第二領域を第一領域よりも大きく設定してもよい。このようにすれば、ＬＥＤ１３０から照射された可視光をタッチパネル１４０の静電容量スイッチ１４２に遮られても、第二領域から第一領域へ近づくと明るくなるドーナツ形となることにより、利用者が中心部にあるタッチスイッチ領域を容易に特定することができ、中心部のドーナツ形の内側を触れればタッチスイッチ領域に確実に触れることとなり、利用者が所望する動作指示を通信カラオケ装置１に対して確実に行うことができる。
【図面の簡単な説明】
【００４６】
【図１】通信カラオケ装置１の構成を示すブロック図である。
【図２】筺体、パネルケース、タッチパネルおよび化粧パネルの各部構成を示す概略説明図である。
【図３】（ａ）はパネルケース、タッチパネルおよび化粧パネルの各部構成を示す概略説明図であり、（ｂ）は筺体、基板、パネルケース、タッチパネルおよび化粧パネルの各部構成を示す概略説明図である。
【図４】図３のＢ部の拡大図である。
【図５】（ａ）は化粧パネル１５０上の第一領域、第二領域およびタッチスイッチ領域を示す説明図（１）であり、（ｂ）は化粧パネル１５０上の第一領域、第二領域およびタッチスイッチ領域を示す説明図（２）である。
【符号の説明】
【００４７】
１…通信カラオケ装置、２…筺体、２ａ…筺体の開口部、２ｂ…舌状部、１０…操作パネル、１１…映像処理部、１２…ＭＰＥＧＥデコーダ、１３…ハードディスク、１４…ＣＰＵ、１５…メモリ、１６…ＬＡＮインターフェース、１７…ＲＴＣ、１８…ＭＩＤＩ音源部、１９…音声処理部、２０…アンプ、２２…スピーカ、２３…マイクロフォン、２４…モニタ、１１０…パネルケース、１１１…パネルケースの開口部、１１２…パネルケースの開口部の周縁部、１１３…パネルケースの前面、１１４，１１７…タッチパネル用凹部、１１５，１１６…スイッチ用凹部、１１４ａ，１１５ａ，１１６ａ…凹部の開口部、１１４ｂ，１１５ｂ，１１６ｂ…凹部の底部、１１４ｃ，１１５ｃ，１１６ｃ，１１８，１１９…挿入孔、１１５ｄ…集光部、１１５ｅ…拡散部、１２０…基板、１３０，１３１…ＬＥＤ、１３０ａ，１３１ａ…ＬＥＤの先端部、１４０…タッチパネル、１４１…舌状体、１４２…静電容量スイッチ、１５０…化粧パネル
【図１】
2008046252.tif 000003
【図２】
2008046252.tif 000004
【図３】
2008046252.tif 000005
【図４】
2008046252.tif 000006
【図５】
2008046252.tif 000007